(57)【要約】【課題】パケット単位のトラヒック変動に追随して波長パスの割付けを制御することにより、波長資源の利用効率の向上を図ることができる波長パス交換ノード装置を実現する。【解決手段】波長パス始点側のノード装置２ａには、入力パケットをバッファに蓄積し、バッファからパケットを取り出して初期パスと追加パスに分配するパケット分配部１１と、そのパケット単位の分配状況に基づいて追加パスの割付けを制御する制御部１３と、この制御により波長パス交換する光スイッチ１２とを備え、波長パス終点側のノード装置２ｂには、初期パスと追加パスに分配されているパケットを監視する監視部２１と、この監視により得られたパケット単位の分配状況に基づいて追加パスの割付けを制御する制御部２３と、この制御により波長パス交換する光スイッチ２２とを備える。【選択図】    図１
2004266468.tif 000002
【特許請求の範囲】
【請求項１】
波長分割多重伝送方式により複数のトラヒックを複数の波長パスに割付けて多重伝送する光通信ネットワークに用いられる波長パス交換ノード装置であって、
入力トラヒックのパケットを蓄積するバッファと、
前記バッファからパケットを取り出して、半固定の初期パスと動的割当用の追加パスに、初期パスを最優先として分配するパケット送出制御手段と、
前記パケット送出制御手段におけるパケット単位の分配状況に基づいて追加パスの割付けを制御する制御手段と、
前記追加パスの割付け制御に従って波長パスの交換を行う波長パス交換手段と、
を備えたことを特徴とする波長パス交換ノード装置。
【請求項２】
波長分割多重伝送方式により複数のトラヒックを複数の波長パスに割付けて多重伝送する光通信ネットワークに用いられる波長パス交換ノード装置であって、
半固定の初期パスと動的割当用の追加パスに、初期パスを最優先として分配されている入力トラヒックのパケットを監視する監視手段と、
前記監視により得られたパケット単位の分配状況に基づいて追加パスの割付けを制御する制御手段と、
前記追加パスの割付け制御に従って波長パスの交換を行う波長パス交換手段と、
を備えたことを特徴とする波長パス交換ノード装置。
【請求項３】
波長分割多重伝送方式により複数のトラヒックを複数の波長パスに割付けて多重伝送する光通信ネットワークに用いられる波長パス交換ノード装置であって、
半固定の初期パスと動的割当用の追加パスに、初期パスを最優先として分配されている入力トラヒックのパケットを監視する監視手段と、
前記監視により得られたパケット単位の分配状況に基づいて追加パスの割付けを制御する第１の制御手段と、
前記第１の制御手段の追加パスの割付け制御に従って波長パスの交換を行う第１の波長パス交換手段と、
前記入力トラヒックのパケットを蓄積するバッファと、
前記バッファからパケットを取り出して、初期パスと追加パスに、初期パスを最優先として分配するパケット送出制御手段と、
前記パケット送出制御手段におけるパケット単位の分配状況に基づいて追加パスの割付けを制御する第２の制御手段と、
前記第２の制御手段の追加パスの割付け制御に従って波長パスの交換を行う第２の波長パス交換手段と、
を備えたことを特徴とする波長パス交換ノード装置。
【請求項４】
前記パケット送出制御手段は、所定の優先順位に従って追加パスへの分配を行うことを特徴とする請求項１または請求項３に記載の波長パス交換ノード装置。
【請求項５】
前記制御手段は、パケットが分配されている時に、少なくとも一つの予備の追加パスを割付けることを特徴とする請求項１乃至請求項４のいずれかの項に記載の波長パス交換ノード装置。
【請求項６】
波長分割多重伝送方式により複数のトラヒックを複数の波長パスに割付けて多重伝送する光通信ネットワークに用いられる波長パス交換ノード装置における波長パス割付け方法であって、
入力トラヒックのパケットをバッファに蓄積する過程と、
前記バッファからパケットを取り出して、半固定の初期パスと動的割当用の追加パスに、初期パスを最優先として分配するパケット分配過程と、
前記パケット分配過程におけるパケット単位の分配状況に基づいて追加パスの割付けを制御する過程と、
を含むことを特徴とする波長パス割付け方法。
【請求項７】
波長分割多重伝送方式により複数のトラヒックを複数の波長パスに割付けて多重伝送する光通信ネットワークに用いられる波長パス交換ノード装置における波長パス割付け方法であって、
半固定の初期パスと動的割当用の追加パスに、初期パスを最優先として分配されている入力トラヒックのパケットを監視する過程と、
前記監視により得られたパケット単位の分配状況に基づいて追加パスの割付けを制御する過程と、
を含むことを特徴とする波長パス割付け方法。
【請求項８】
波長分割多重伝送方式により複数のトラヒックを複数の波長パスに割付けて多重伝送する光通信ネットワークに用いられる波長パス交換ノード装置における波長パス割付け方法であって、
半固定の初期パスと動的割当用の追加パスに、初期パスを最優先として分配されている入力トラヒックのパケットを監視する過程と、
前記監視により得られたパケット単位の分配状況に基づいて、第１の波長パス交換手段における追加パスの割付けを制御する第１の制御過程と、
前記入力トラヒックのパケットをバッファに蓄積する過程と、
前記バッファからパケットを取り出して、初期パスと追加パスに、初期パスを最優先として分配するパケット分配過程と、
前記パケット分配過程におけるパケット単位の分配状況に基づいて、第２の波長パス交換手段における追加パスの割付けを制御する第２の制御過程と、
を含むことを特徴とする波長パス割付け方法。
【請求項９】
前記パケット分配過程において、所定の優先順位に従って追加パスへの分配を行うことを特徴とする請求項６または請求項８に記載の波長パス割付け方法。
【請求項１０】
前記制御過程において、パケットが分配されている時に、少なくとも一つの予備の追加パスを割付けることを特徴とする請求項６乃至請求項９のいずれかの項に記載の波長パス割付け方法。
【発明の詳細な説明】
【０００１】
【発明の属する技術分野】
本発明は、波長分割多重伝送方式（Ｗａｖｅｌｅｎｇｔｈ  Ｄｅｖｉｓｉｏｎ  Ｍｕｌｔｉｐｌｅｘｉｎｇ：ＷＤＭ）を採用した光通信ネットワーク（ＷＤＭ網）における波長パス交換ノード装置及び波長パス割付け方法に関する。
【０００２】
【従来の技術】
従来の波長パス交換ノード装置は、複数の自ノード収容装置（例えばＩＰルータ）からＷＤＭ網に出力すべきトラヒックを監視し、この監視結果に基づいて波長パスの割付けを自律的に制御している（例えば、特許文献１参照）。そして、ＷＤＭ網において、一対の波長パス交換ノード装置により、シグナリングを行わずに、その対向する区間の波長パスを動的に追加及び削減することがなされている。これにより、シグナリングに要する構成が簡略化できるとともに、統計多重効果による波長使用効率の向上が図られている。また、複数区間に渡り設定される波長パスについては、一対の波長パス交換ノード装置をタンデムに接続することによって対応している。
【０００３】
【特許文献１】
特開２００１−３３３０４５号公報
【０００４】
【発明が解決しようとする課題】
しかしながら、上述した従来の技術では、複数のパケットからなるトラヒックを監視単位として波長パスの増減を行うので、パケット単位のトラヒック変動に追随して波長パスの割付けを制御することができない。
【０００５】
本発明は、このような事情を考慮してなされたもので、その目的は、パケット単位のトラヒック変動に追随して波長パスの割付けを制御することにより、波長資源の利用効率の向上を図ることができる波長パス交換ノード装置及び波長パス割付け方法を提供することにある。
【０００６】
【課題を解決するための手段】
上記の課題を解決するために、請求項１に記載の波長パス交換ノード装置は、波長分割多重伝送方式により複数のトラヒックを複数の波長パスに割付けて多重伝送する光通信ネットワークに用いられる波長パス交換ノード装置であって、入力トラヒックのパケットを蓄積するバッファと、前記バッファからパケットを取り出して、半固定の初期パスと動的割当用の追加パスに、初期パスを最優先として分配するパケット送出制御手段と、前記パケット送出制御手段におけるパケット単位の分配状況に基づいて追加パスの割付けを制御する制御手段と、前記追加パスの割付け制御に従って波長パスの交換を行う波長パス交換手段とを備えたことを特徴としている。
【０００７】
請求項２に記載の波長パス交換ノード装置は、波長分割多重伝送方式により複数のトラヒックを複数の波長パスに割付けて多重伝送する光通信ネットワークに用いられる波長パス交換ノード装置であって、半固定の初期パスと動的割当用の追加パスに、初期パスを最優先として分配されている入力トラヒックのパケットを監視する監視手段と、前記監視により得られたパケット単位の分配状況に基づいて追加パスの割付けを制御する制御手段と、前記追加パスの割付け制御に従って波長パスの交換を行う波長パス交換手段とを備えたことを特徴としている。
【０００８】
請求項３に記載の波長パス交換ノード装置は、波長分割多重伝送方式により複数のトラヒックを複数の波長パスに割付けて多重伝送する光通信ネットワークに用いられる波長パス交換ノード装置であって、半固定の初期パスと動的割当用の追加パスに、初期パスを最優先として分配されている入力トラヒックのパケットを監視する監視手段と、前記監視により得られたパケット単位の分配状況に基づいて追加パスの割付けを制御する第１の制御手段と、前記第１の制御手段の追加パスの割付け制御に従って波長パスの交換を行う第１の波長パス交換手段と、前記入力トラヒックのパケットを蓄積するバッファと、前記バッファからパケットを取り出して、初期パスと追加パスに、初期パスを最優先として分配するパケット送出制御手段と、前記パケット送出制御手段におけるパケット単位の分配状況に基づいて追加パスの割付けを制御する第２の制御手段と、前記第２の制御手段の追加パスの割付け制御に従って波長パスの交換を行う第２の波長パス交換手段とを備えたことを特徴としている。
【０００９】
請求項４に記載の波長パス交換ノード装置においては、前記パケット送出制御手段は、所定の優先順位に従って追加パスへの分配を行うことを特徴とする。
【００１０】
請求項５に記載の波長パス交換ノード装置においては、前記制御手段は、パケットが分配されている時に、少なくとも一つの予備の追加パスを割付けることを特徴とする。
【００１１】
請求項６に記載の波長パス割付け方法は、波長分割多重伝送方式により複数のトラヒックを複数の波長パスに割付けて多重伝送する光通信ネットワークに用いられる波長パス交換ノード装置における波長パス割付け方法であって、入力トラヒックのパケットをバッファに蓄積する過程と、前記バッファからパケットを取り出して、半固定の初期パスと動的割当用の追加パスに、初期パスを最優先として分配するパケット分配過程と、前記パケット分配過程におけるパケット単位の分配状況に基づいて追加パスの割付けを制御する過程とを含むことを特徴としている。
【００１２】
請求項７に記載の波長パス割付け方法は、波長分割多重伝送方式により複数のトラヒックを複数の波長パスに割付けて多重伝送する光通信ネットワークに用いられる波長パス交換ノード装置における波長パス割付け方法であって、半固定の初期パスと動的割当用の追加パスに、初期パスを最優先として分配されている入力トラヒックのパケットを監視する過程と、前記監視により得られたパケット単位の分配状況に基づいて追加パスの割付けを制御する過程とを含むことを特徴としている。
【００１３】
請求項８に記載の波長パス割付け方法は、波長分割多重伝送方式により複数のトラヒックを複数の波長パスに割付けて多重伝送する光通信ネットワークに用いられる波長パス交換ノード装置における波長パス割付け方法であって、半固定の初期パスと動的割当用の追加パスに、初期パスを最優先として分配されている入力トラヒックのパケットを監視する過程と、前記監視により得られたパケット単位の分配状況に基づいて、第１の波長パス交換手段における追加パスの割付けを制御する第１の制御過程と、前記入力トラヒックのパケットをバッファに蓄積する過程と、前記バッファからパケットを取り出して、初期パスと追加パスに、初期パスを最優先として分配するパケット分配過程と、前記パケット分配過程におけるパケット単位の分配状況に基づいて、第２の波長パス交換手段における追加パスの割付けを制御する第２の制御過程とを含むことを特徴としている。
【００１４】
請求項９に記載の波長パス割付け方法においては、前記パケット分配過程において、所定の優先順位に従って追加パスへの分配を行うことを特徴とする。
【００１５】
請求項１０に記載の波長パス割付け方法においては、前記制御過程において、パケットが分配されている時に、少なくとも一つの予備の追加パスを割付けることを特徴とする。
【００１６】
【発明の実施の形態】
以下、図面を参照し、本発明の実施形態について説明する。
図１は、本発明の一実施形態による波長パス交換ノード装置２ａ，２ｂを備えたＷＤＭ網の構成例の概略を示すブロック図である。このＷＤＭ網はポイント・トゥ・ポイント接続の構成のものである。図１に示すＷＤＭ網においては、波長パス始点側の波長パス交換ノード装置（以下、単にノード装置と称する）２ａから波長パス終点側のノード装置２ｂに向かう方向へ、トラヒックが流れる。
【００１７】
初めに、図１のＷＤＭ網全体の構成と動作を説明する。
図１において、ノード装置２ａは、複数のＩＰルータ（以下、単にルータと称する）１とそれぞれ光ファイバケーブルで接続されている。また、ノード装置２ａは、半固定の波長パスを設定する光クロスコネクト装置（ＯＸＣ）３ａと光ファイバケーブルで接続されている。ＯＸＣ３ａは対向するＯＸＣ３ｂと光ファイバーケーブルで接続されている。ノード装置２ｂは、ＯＸＣ３ｂと光ファイバケーブルで接続されるとともに、複数のルータ１とそれぞれ光ファイバケーブルで接続されている。
【００１８】
ノード装置２ａは、各ルータ１からの入力トラヒックを複数の波長パスに割付けてＯＸＣ３ａに出力する。ＯＸＣ３ａは入力された各波長パスのトラヒックを多重してＯＸＣ３ｂに送信する。ＯＸＣ３ｂは、ＯＸＣ３ａから受信した各波長パスのトラヒックを分離してノード装置２ｂに出力する。ノード装置２ｂは、入力された複数の波長パスのトラヒックをそれぞれ対応するルータ１へ出力する。
【００１９】
次に、ノード装置２ａの構成及び動作を説明する。
図１において、ノード装置２ａは、パケット分配部１１と光スイッチ１２（波長パス交換手段）と制御部１３を備える。パケット分配部１１は、ルータ１の各々に対応して設けられている。パケット分配部１１は、対応するルータ１からの入力トラヒックのパケットを、半固定の波長パスである初期パスと動的割当用の波長パスである追加パスとに分配する。初期パスに分配されたパケットは、光スイッチ１２の初期パス用入力ポートに出力される。追加パスに分配されたパケットは、光スイッチ１２の追加パス用入力ポートに出力される。
【００２０】
光スイッチ１２は、制御部１３からの波長パス交換設定に従って波長パスの交換を行う。初期パス用入力ポートの入力パケットについては、初期設定された初期パス用出力ポートへ出力する。この初期パス用入力ポートと初期パス用出力ポートの接続関係は、半固定的に設定される。追加パス用入力ポートの入力パケットについては、適宜設定された追加パス用出力ポートへ出力する。この追加パス用入力ポートと追加パス用出力ポートの接続関係は、動的に設定される。各出力ポートにおいては、所定の波長への変換が行われる。各出力ポートの出力はＯＸＣ３ａに接続されている。
【００２１】
制御部１３は、各パケット分配部１１から、初期パスと波長パスへのパケット単位の分配状況を示すパケット分配信号を受け取る。制御部１３は、このパケット分配信号により、初期パスと波長パスへのパケット単位の分配状況を把握する。そして、把握したパケット単位の分配状況に基づいて追加パスの割付けを制御する。これにより、後段のノード装置２ｂとの間の追加パスの設定及び解放が自律的に行われる。
【００２２】
図２は、パケット分配部１１の構成を示すブロック図である。図２において、パケット分配部１１は、光−電気変換器（Ｏ／Ｅ）３１とバッファ３２とパケット送出制御部３３と電気−光変換器（Ｅ／Ｏ）３４とを備える。Ｅ／Ｏ３４は、初期パスと追加パスの各々に対応して設けられている。初期パス用Ｅ／Ｏ３４の光出力は、光スイッチ１２の初期パス用入力ポートに接続されている。各追加パス用Ｅ／Ｏ３４の光出力は、光スイッチ１２の対応する追加パス用入力ポートにそれぞれ接続されている。
【００２３】
Ｏ／Ｅ３１は、ルータ１からの入力トラヒックのパケットを光信号から電気信号に変換してバッファ３２に出力する。バッファ３２は入力されたパケットを蓄積する。
【００２４】
パケット送出制御部３３は、バッファ３２からパケットを取り出して、初期パス用Ｅ／Ｏ３４あるいは追加パス用Ｅ／Ｏ３４に出力する。ここで、パケット送出制御部３３は、パケット分配信号を制御部１３に出力する。各Ｅ／Ｏ３４は、入力されたパケットを電気信号から光信号に変換して、光スイッチ１２の各々接続されている入力ポートに出力する。
【００２５】
次に、パケット送出制御部３３のパケット分配動作と、制御部１３の追加パス割付け動作を説明する。
パケット送出制御部３３は、パケットを初期パスと追加パスに分配する際に、初期パスに最優先で分配する。また、追加パスについては、所定の優先順位に従って分配を行う。この追加パスの優先順位は制御部１３にも予め設定されている。
制御部１３は、パケットが分配されている時に、少なくとも一つの予備の追加パスを当該ルータ１からの入力トラヒックに対して割付けるようにする。
【００２６】
先ず、パケット送出制御部３３は、バッファ３２から最初のパケットを取り出すと、初期パス用Ｅ／Ｏ３４に出力する。ここで、パケット送出制御部３３は、パケット分配信号により初期パスにパケットを分配中である旨を制御部１３に通知する。この通知により、制御部１３は、優先順位第１位の追加パスを予備として割付ける。
【００２７】
次いで、初期パス用Ｅ／Ｏ３４にパケットを出力中の期間において、バッファ３２内にパケットが残っている場合には、バッファ３２からパケットを取り出して優先順位第１位の追加パス用Ｅ／Ｏ３４に出力する。ここで、パケット送出制御部３３は、パケット分配信号により初期パス及び一つの追加パスにパケットを分配中である旨を制御部１３に通知する。この通知により、制御部１３は、優先順位第２位の追加パスを予備として割付ける。
【００２８】
次いで、初期パス用Ｅ／Ｏ３４及び優先順位第１位の追加パス用Ｅ／Ｏ３４にパケットを出力中の期間において、バッファ３２内にパケットが残っている場合には、バッファ３２からパケットを取り出して優先順位第２位の追加パス用Ｅ／Ｏ３４に出力する。ここで、パケット送出制御部３３は、パケット分配信号により初期パス及び二つの追加パスにパケットを分配中である旨を制御部１３に通知する。この通知により、制御部１３は、優先順位第３位の追加パスを予備として割付ける。以降、同様にして、初期パス及び予備以外の割付け済みの追加パスの全てにパケットが分配中であり、且つ新たなパケットを送出する際には、予備の追加パスが使用される。そして、次の優先順位の追加パスが予備として割付けられる。
【００２９】
また、初期パス用Ｅ／Ｏ３４へのパケット出力が終了した時に、バッファ３２内にパケットが残っている場合には、初期パス用Ｅ／Ｏ３４へパケットが出力され、初期パスが使用される。そして、初期パス使用中の期間において、バッファ３２内にパケットが残っている場合には、優先順位に従って順次追加パスが使用される。
【００３０】
上記したパケット分配方法により、パケットの送出時には初期パスは必ず使用される。さらに、追加パスは、優先順位の高いものから順に空きなく使用される。この結果として波長パスの使用効率は非常に向上する。
【００３１】
なお、制御部１３は、新たな追加パスを割付けることができない場合には、追加パス制限信号をパケット分配部１１に出力する。パケット送出制御部３３は、追加パス制限信号を受信した場合には、既に使用中のパスのみで以降のパケットの伝送を行うようにする。
【００３２】
また、制御部１３は、割付け済みの追加パスのうち、最も優先順位が低い追加パスが使用されていない時に、その追加パスより一つ優先順位が高い追加パスも使用されていなければ、その最も優先順位が低い追加パスを解放する。パケットが使用されていないことの判断は、パケットを連続送出する最小時間間隔以上の期間において、当該追加パスにパケットが継続して分配されないことを以って行う。
【００３３】
次に、ノード装置２ｂの構成及び動作を説明する。
図１において、ノード装置２ｂは、監視部２１と光スイッチ２２（波長パス交換手段）と制御部２３を備える。監視部２１は、ルータ１の各々に対応して設けられている。
【００３４】
光スイッチ２２は、制御部２３からの波長パス交換設定に従って波長パスの交換を行う。光スイッチ２２には、ＯＸＣ３ｂから各波長パスのトラヒックが分離されて入力される。初期パスのパケットは所定の初期パス用入力ポートに入力される。追加パスのパケットは所定の追加パス用入力ポートに入力される。初期パス用入力ポートの入力パケットは、送達先のルータ１用に初期設定された初期パス用出力ポートへ出力される。この初期パス用入力ポートと初期パス用出力ポートの接続関係は、半固定的に設定される。追加パス用入力ポートの入力パケットは、送達先のルータ１用に適宜設定された追加パス用出力ポートへ出力する。この追加パス用入力ポートと追加パス用出力ポートの接続関係は、動的に設定される。各出力ポートにおいては、所定の波長への変換が行われる。各出力ポートの出力は、それぞれ対応する監視部２１に接続されている。
【００３５】
監視部２１には、対応するルータ１へ送達すべきトラヒックのパケットが、初期パスと追加パスに分配されて入力される。監視部２１は、各波長パスのパケットを監視する。これら各波長のパケットは、監視部２１を介して対応するルータ１へ出力される。
【００３６】
制御部２３は、各監視部２１から、初期パスと波長パスへのパケット単位の分配状況を示すパケット分配信号を受け取る。制御部１３は、このパケット分配信号により、初期パスと波長パスへのパケット単位の分配状況を把握する。そして、把握したパケット単位の分配状況に基づいて追加パスの割付けを制御する。
【００３７】
図３は、監視部２１の構成を示すブロック図である。図３において、監視部２１は、パケット検出部４１と監視通知部４２と合波部４３を備える。パケット検出部４１は、初期パスと追加パスの各々に対応して設けられている。初期パス用パケット検出部４１の光入力は、光スイッチ１２の初期パス用出力ポートに接続されている。各追加パス用パケット検出部４１の光入力は、光スイッチ１２の対応する追加パス用出力ポートにそれぞれ接続されている。
【００３８】
パケット検出部４１は、入力される光信号を観測してパケット入力の有無を判定する。そして、パケットが入力されたことを検出すると、監視通知部４２に通知する。監視通知部４２は、各パケット検出部４１からのパケット入力通知により、パケット分配信号を作成して制御部２３へ出力する。
【００３９】
各波長パスのパケットはそれぞれ監視部４１を介して合波部４３に入力される。合波部４３は、入力されたパケットの光信号を合波して対応するルータ１へ出力する。
【００４０】
制御部２３は、上記制御部１３と同様に、各監視部２１からのパケット分配信号に基づいて追加パスの割付けを行う。これにより、前段のノード装置２ａとの間の追加パスの設定及び解放が自律的に行われる。
【００４１】
なお、上述した実施形態において、パケット分配部１１を対向するルータ１側に配置するようにしてもよい。同様に、監視部２１を対向するルータ１側に配置するようにしてもよい。
【００４２】
次に、本発明の他の実施形態による波長パス交換ノード装置として中継ノード装置を説明する。図４は、本発明の一実施形態による中継ノード装置５０の構成を示すブロック図である。この図４において図１の各部に対応する部分には同一の符号を付け、その説明を省略する。
【００４３】
図４に示す中継ノード装置５０は、中継ノードをタンデムに接続することによりＷＤＭ網を構成して、複数区間に渡り波長パスを設定するためのものである。図４において、中継ノード装置５０は、光スイッチ５１ａ（第１の波長パス交換手段）と光スイッチ５１ｂ（第２の波長パス交換手段）と光スイッチ５１ａ用の制御部２３（第１の制御手段）と光スイッチ５１ｂ用の制御部１３（第２の制御手段）と監視部２１とパケット分配部１１とを備える。監視部２１とパケット分配部１１は対で設けられている。
【００４４】
入力側の光スイッチ５１ａには、ＯＸＣから各追加パスに分配されたパケットが入力される。光スイッチ５１ａは、制御部２３からの波長パス交換設定に従って波長パスの交換を行い、各追加パスの入力パケットをそれぞれの追加パスに対応する監視部２１へ出力する。
【００４５】
監視部２１には、光スイッチ５１ａから追加パスのパケットが入力され、また、ＯＸＣから初期パスのパケットが入力される。監視部２１は、初期パスと追加パスの入力パケットをそれぞれ監視してパケット分配信号を作成し、制御部２３へ出力する。制御部２３は、各監視部２１からのパケット分配信号に基づいて追加パスの割付けを行う。これにより、前段のノード装置との間の追加パスの設定及び解放が自律的に行われる。
【００４６】
監視部２１に入力されたパケットは、対応するパケット分配部１１に出力される。パケット分配部１１には、監視部２１から追加パスのパケットが入力され、また、ＯＸＣから初期パスのパケットが入力される。パケット分配部１１は、入力パケットを初期パスと追加パスに分配するとともに、パケット分配信号を制御部１３へ出力する。また、パケット分配部１１は、制御部１３からの追加パス制限信号により追加パスの新規使用を禁止する。
【００４７】
制御部１３は、各パケット分配部１１からのパケット分配信号に基づいて追加パスの割付けを行う。これにより、後段のノード装置との間の追加パスの設定及び解放が自律的に行われる。
【００４８】
パケット分配部１１によって初期パスに分配されたパケットは、パケット分配部１１からＯＸＣに出力される。一方、追加パスに分配されたパケットは、パケット分配部１１から光スイッチ５１ｂに出力される。光スイッチ５１ｂは、制御部１３からの波長パス交換設定に従って波長パスの交換を行い、各追加パスの入力パケットをそれぞれの追加パスに対応するＯＸＣへ出力する。
【００４９】
上述したように、本発明の実施形態によれば、初期パスと追加パスへのパケット単位の分配状況に基づいて追加パスの割付けが制御されるので、パケット単位のトラヒック変動に追随した波長パスの割付け制御が可能となる。この結果として波長資源の利用効率の向上を図ることができる。
【００５０】
また、所定の優先順位に従って追加パスへの分配が行われるので、追加パスの利用効率が向上する。
【００５１】
また、パケットが分配されている時に、少なくとも一つの予備の追加パスが割付けられるので、パケット分配の安定性が向上する。
【００５２】
なお、上述した実施形態では、パケット分配部１１において、入力される光信号を電気信号に変換してパケットのバッファリング及び分配を行うようにしたが、光信号のままで処理するようにしてもよい。図５に、光入力のパケットをそのままバッファリング及び分配するパケット分配部１１のブロック構成を示す。図５において、バッファ３２ａは光バッファであり、光入力のパケットを蓄積する。パケット送出制御部３３ａは、バッファ３２ａからパケットを取り出して、初期パスと追加パスへの分配を行う。これにより、ルータ１からの光入力のパケットは、光信号のまま、分配先の波長パスに対応する光スイッチ１２の入力ポートに出力される。この図５の実施形態によれば、光−電気変換による変換ロスがなくなるので光交換の効率が向上する。
【００５３】
以上、本発明の実施形態を図面を参照して詳述してきたが、具体的な構成はこの実施形態に限られるものではなく、本発明の要旨を逸脱しない範囲の設計変更等も含まれる。
【００５４】
【発明の効果】
以上説明したように、本発明によれば、初期パスと追加パスへのパケット単位の分配状況に基づいて追加パスの割付けが制御されるので、パケット単位のトラヒック変動に追随した波長パスの割付け制御が可能となる。この結果として波長資源の利用効率の向上を図ることができる。
【図面の簡単な説明】
【図１】本発明の一実施形態による波長パス交換ノード装置２ａ，２ｂを備えたＷＤＭ網の構成例の概略を示すブロック図である。
【図２】パケット分配部１１の構成を示すブロック図である。
【図３】監視部２１の構成を示すブロック図である。
【図４】本発明の一実施形態による中継ノード装置５０の構成を示すブロック図である。
【図５】他の実施形態によるパケット分配部１１の構成を示すブロック図である。
【符号の説明】
１…ＩＰルータ、２ａ，２ｂ…波長パス交換ノード装置、３ａ，３ｂ…光クロスコネクト装置、１１…パケット分配部、１２，２２，５１ａ，５１ｂ…光スイッチ、１３，２３…制御部、２１…監視部、３１…光−電気変換器（Ｏ／Ｅ）、３２，３２ａ…バッファ、３３，３３ａ…パケット送出制御部、３４…電気−光変換器（Ｅ／Ｏ）、４１…パケット検出部、４２…監視通知部、４３…合波部、５０…波長パス交換ノード装置（中継ノード装置）
【図１】
2004266468.tif 000003
【図２】
2004266468.tif 000004
【図３】
2004266468.tif 000005
【図４】
2004266468.tif 000006
【図５】
2004266468.tif 000007